(57)【特許請求の範囲】
【請求項１】
草花や野菜の栽培のプランターに、水タンクから散水管により散水する自動散水装置であって、
プランター内に配置される上部側容器と下部側カバー管とを備え、
水タンクと給水ホースで接続された上部側容器には、サイフォン管と、下部側カバー管内に収納される浮き玉と浮き玉ワイヤーにより接続されている水位検出レバーと、給水ホースに連通し可動弁を備えた取水栓を設け、
プランター底部水位面が下がると浮き玉が下がり、浮き玉ワイヤーが下に引かれることで水位検出レバーが下がり、水位検出レバーにより可動弁が下側に押されて開き、水タンクの水が上部側容器の内部に流下し、
上部側容器内部の水位がサイホォン管上部に達すると、サイフォン作用が発生して、サイフォン管入口より吸い込まれた上部容器内部の水がサイフォン管出口より散水受け容器に流下し、散水受け容器に接続された散水管よりプランター上部に散水される一方、
プランター底部の水位面が上がると浮き玉が上がり、水位検出レバーも上がり、スプリングで付勢された可動弁が閉じ、上部側容器内部への水タンクの水の流下が止まり、サイフォン管による上部側容器内部の水の散水受けへの流下が止まるまで散水管より散水が継続する、ことを特徴とする自動散水装置。
【発明の詳細な説明】
【技術分野】
【０００１】  本発明は、草花や野菜の栽培のプランターに水を給水する自動散水装置である。
【背景技術】
【０００２】  従来の散水装置は時間割での散水方法で、バッテリーの電源でデジタルタイマーなどで、時間計測をして散水の時は電磁弁の開閉動作により自動散水を行ってきた。
【発明の開示】
【発明が解決しようとする課題】
【０００３】  前記の散水装置は時間計測をするために電源が必要である、散水の時は電気の力を借りて、電磁弁を動作させる必要がある。
本発明は、電気を利用しないで、散水動作を繰り返す、自動散水装置を提案する。
【課題を解決するための手段】
【０００４】    本発明は，上記目的を達成するために、プランター内に配置される上部側容器と下部側カバー管とを備え、
水タンクと給水ホースで接続された上部側容器には、サイフォン管と、下部側カバー管内に収納される浮き玉と浮き玉ワイヤーにより接続されている水位検出レバーと、給水ホースに連通し可動弁を備えた取水栓を設け、
プランター底部水位面が下がると浮き玉が下がり、浮き玉ワイヤーが下に引かれることで水位検出レバーが下がり、水位検出レバーにより可動弁が下側に押されて開き、水タンクの水が上部側容器の内部に流下し、
上部側容器内部の水位がサイホォン管上部に達すると、サイフォン作用が発生して、サイフォン管入口より吸い込まれた上部容器内部の水がサイフォン管出口より散水受け容器に流下し、散水受け容器に接続された散水管よりプランター上部に散水される一方、
プランター底部の水位面が上がると浮き玉が上がり、水位検出レバーも上がり、スプリングで付勢された可動弁が閉じ、上部側容器内部への水タンクの水の流下が止まり、サイフォン管による上部側容器内部の水の散水受けへの流下が止まるまで散水管より散水が継続する、ことを特徴とする自動散水装置で上記の課題を解決した。
【発明の効果】
【０００５】  上述したように、自動的に散水を繰り返すには、プランター容器底部の水位を検出して、水位の高低差により散水の動作を繰り返すことが可能ことで、電気タイマーなどがなくても、散水動作が可能である。
【図面の簡単な説明】
【０００６】
【図１】サイフォン容器平面図
【図２】自動散水装置断面図
【図３】取水栓平面図
【図４】取水栓断面図
【図５】水タンクとプランター平面図
【図６】水タンクとプランター断面図
【符号の説明】
【０００７】１、  サイフォン容器
２、  サイフォン管
３、  散水受け容器
４、  散水管
５、  水位検出レバー
６、  オモリ
７、  スプリング
８、  オーリング
９、  ネジ穴付きエルボ管
１０、浮き玉ワイヤー
１１、浮き玉
１２、ボルト
１３、浮き玉ワイヤー保護管
１４、浮き玉ワイヤー案内管
１５、サイフォン管出口
１６、サイフォン管入口
１７、水位検出レバー支持棒
１８、取水栓
１９、浮き玉用カバー管
２０、案内板のプランター止メ穴
２１、案内板ボルト受け穴
２２、可動弁仕切り板
２３、可動弁
２４、水タンク
２５、給水ホース
２６、台座
２７、プランター
２８、案内板
２９、アングル
３０、散水の水
３１、散水管ソケット
３２、ナット
３３、水タンク接続口
３４、水タンク出口
【発明を実施するための形態】
【０００８】  以下、本発明の実施の形態を図１−図６に基づいて説明する。
図１は、サイフォン容器平面図を示す。
サイフォン容器１の上部には、ネジ穴付きエルボ管９に水タンク接続口３３設けてある、水タンク２４との接続口となる。
ネジ穴付きエルボ管９の上側には、水位検出レバー５を取り付けするために、サイフォン容器１の側面側に水位検出レバー支持棒１７が固定され、そこに水位検出レバー５が取り付けされている。
サイフォン容器１の底部には、逆Ｕ字型をしたサイフォン管２がサイフォン容器１の底部に取り付され、サイフォン管入口１６はサイフォン容器１の底部が、入り口となり、サイフォン容器１の水の吸い込み口となる、サイフォン管出口１５は、サイフォン容器１底部より、下側に出ます。
サイフォン容器１の底部に浮き玉ワイヤー保護管１３取り付され、水位検出レバー５の近くまで、まっすぐに立って固定される、浮き玉ワイヤー保護管１３の底部側は貫通穴となっている、浮き玉ワイヤー１０が下側にでる。
サイフォン容器１は案内版２８の上に、案内板ボルト受け穴２１によりボルト１２が固定され、ボルト１２の一定の高さで両側のナット３２によりサイフォン容器１は固定される。
案内板２８には、プランター２７に案内板２８を固定されるために案内板プランター止め穴２０が設けてある。
【０００９】図２は、自動散水装置断面図を示す。
案内板２８上側には、ボルト１２の上に固定されたサイフォン容器１があり、案内板２８下側にはアングル２９に固定された、浮き玉用カバー管１９取付され、サイフォン容器１と浮き玉用カバー管１９の中間には、散水管４設置され、散水管４の上側には散水受け容器３で、サイフォン管出口１５より流下する水を散水受け容器３で受けて、下側の散水管４に水を流下させていく。
【００１０】  サイフォン容器１の上部の外側面には、水タンク接続口３３に水タンク２４より給水をうける、サイフォン容器１の上部にある、水位検出レバー５は、浮き玉１１と、浮き玉ワイヤー１０で接続せれている、浮き玉１１は案内版２８の下側に設置された、浮き玉カバー管１９の中に設置され、プランター底部水位面が下がると、浮き玉１１の重さで、浮き玉ワイヤー１０を下側に引くことで、水位検出レバー５が下がり、可動弁２３が開いて、水タンク２４の水が、サイフォン容器１の中に流下する。
サイフォン容器１の水位が上がり、サイフォン管２の上部面に達した時に、サイフォン管２にサイフォン作用が発生して、サイフォン管入口１６より、サイフォン容器１の水を吸い込み、サイフォン管出口１５より流下して、散水受け容器３で受けて、散水受け容器３より散水管４に水は流下して、散水管４よりプランター２４の上部面に散水する。
【００１１】  プランター底部水位面が、散水管４より散水でプランター底部水位面が上がると、浮き玉用カバー管１９の中の浮き玉１１が上がり、水位検出レバー５も上がり、可動弁２３の下側にあるスプリング７の力により可動弁２３は閉じて、水タンク２４の水がサイフォン容器１の中に流下はとまるが、
サイフォン容器１の水は、サイフォン管出口１５より流下は継続している、サイフォン作用によりサイフォン管入口１６の水位になるまで、サイフォン管出１５より流下が続く。
（特許第４９４１９３７号においては、可動弁の開閉動作と散水管よりの散水のタイミングは同じとなっている、可動弁の開閉と散水との時間差がない）
サイフォン容器１に流下してくる水も、サイフォン管２の上部まで水位があがってこない間は、散水管４より散水は出来ない、
可動弁２３の開閉動作と散水管４よりの散水時間には時間差がある。
【００１２】図３は、取水栓平面図を示す。
取水栓１８の内部に、可動弁２３が内蔵されその下側にスプリング７より常に可動弁２３は上側におされている、可動弁２３の真上には、水位検出レバー５が設置され、水位検出レバー５両側には、オモリ６と浮き玉ワイヤー１０が接続されている。水位検出レバー５は、水位検出支持棒１７により、サイフォン容器１の側面に固定される。
【００１３】図４は、取水栓断面図を示す。
ネジ穴付きエルボ管９の内部に取水栓１８があり、可動弁２３はスプリング７と、可動弁仕切り板２２とオーリング８で構成され、可動弁２３は水位検出レバーが下がり、可動弁２３下側に動作することで、オーリング８と取水栓１８との間に隙間が出来ることで、水タンク２４よりの水が、オーリング８の隙間よりみずがでる、水位検出レバー５の左側にはオモリ６が、右側には浮き玉ワイヤー１０が、浮き玉ワイヤー１０の下側に浮き玉１１が接続されている、オモリ６はバランス用としている。
【００１４】図５は、水タンクとプランター平面図を示す。
水タンク２４の、水タンク出口３４から給水ホース２５でサイフォン容器１の水タンク接続口３３接続して、プランター２７の中心部に案内板２８を、案内板のプランター止め穴２０を利用して、プランター２７にボルトで固定する、散水管４はプランター２７上部に設置され、散水管４の両側に散水管ソケット３１をつけ、散水管４を増設可能となる。
【００１５】  図６は、水タンクとプランター断面図を示す。
水タンク２４より給水ホース２５でサイフォン容器１に水を送る、サイフォン容器１の下側にあります、浮き玉用カバー管１９の内部に浮き玉１１があり、プランター底部水位面に浮かんでいる、プランター底部水位面が下がると浮き玉１１もさがる、浮き玉ワイヤー１０も下側に引かれて、水位検出レバー５が下側に引かれて、取水栓１８内部の可動弁２３が開き、水タンク２４の水がサイフォン容器１に流下する、サイフォン管２上部面まで水位が上がり、サイフォン管２のサイフォン作用が発生して、サイフォン管出口１５より水は流下すると散水受け容器３より散水管４に水は流下して、散水管４より、プランター２７に散水３０される。
【図１】
0005737658.tif 000002
【図２】
0005737658.tif 000003
【図３】
0005737658.tif 000004
【図４】
0005737658.tif 000005
【図５】
0005737658.tif 000006
【図６】
0005737658.tif 000007